【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
それぞれが光電変換部を含む複数の画素に接続された列信号線と、
出力部と、
前記複数の画素のうちの１つの画素が選択されている期間の異なるタイミングに当該選択されている画素から前記列信号線へ出力された第１の信号と第２の信号とを前記出力部へ伝達する伝達ブロックと、
を備え、
前記伝達ブロックは、第１の伝達部と第２の伝達部とを含み、
前記第１の伝達部は、前記第１の信号を前記出力部へ向けて伝達する第１のインピーダンス変換部を含み、前記第１のインピーダンス変換部の第１のオフセットと前記第１の信号に前記第１のオフセットが重畳された信号との差分信号を第３の信号として前記出力部へ伝達し、
前記第２の伝達部は、前記第２の信号を前記出力部へ向けて伝達する第２のインピーダンス変換部を含み、前記第２のインピーダンス変換部の第２のオフセットと前記第２の信号に前記第２のオフセットが重畳された信号との差分信号を第４の信号として前記出力部へ伝達し、
前記出力部は、前記第３の信号と前記第４の信号との差分に応じた信号を出力する
ことを特徴とする撮像装置。
【請求項２】
前記第１の伝達部は、
前記第１のインピーダンス変換部から前記第１のオフセットを含む信号が入力される第１の電極と、第２の電極とを有する第１のクランプ容量と、
前記第２の電極に参照電圧を供給するための第１のスイッチと、
をさらに含み、
前記第２の伝達部は、
前記第２のインピーダンス変換部から前記第２のオフセットを含む信号が入力される第３の電極と、第４の電極とを有する第２のクランプ容量と、
前記第４の電極に参照電圧を供給するための第２のスイッチと、
をさらに含む
ことを特徴とする請求項１に記載の撮像装置。
【請求項３】
前記第１のインピーダンス変換部は、第１の差動増幅器を含み、
前記第２のインピーダンス変換部は、第２の差動増幅器を含み、
前記第１の伝達部は、前記第１の差動増幅器の出力端子と前記第１の電極及び前記第１の差動増幅器の反転入力端子とを接続するとともに前記第２の電極へ参照電圧を供給する第１の状態と、前記第１の差動増幅器の出力端子と前記第１の差動増幅器の反転入力端子との接続を維持しながら前記第１の差動増幅器の出力端子と前記第１の電極との接続を遮断するとともに前記第２の電極に前記参照電圧を供給せずに前記第２の電極を前記第１の差動増幅器の非反転入力端子へ接続する第２の状態とを切り替え、
前記第２の伝達部は、前記第２の差動増幅器の出力端子と前記第３の電極及び前記第２の差動増幅器の反転入力端子とを接続するとともに前記第４の電極へ参照電圧を供給する第３の状態と、前記第２の差動増幅器の出力端子と前記第２の差動増幅器の反転入力端子との接続を維持しながら前記第２の差動増幅器の出力端子と前記第３の電極との接続を遮断するとともに前記第４の電極に前記参照電圧を供給せずに前記第４の電極を前記第２の差動増幅器の非反転入力端子へ接続する第４の状態とを切り替える
ことを特徴とする請求項２に記載の撮像装置。
【請求項４】
前記第１のインピーダンス変換部は、第１の差動増幅器を含み、
前記第２のインピーダンス変換部は、第２の差動増幅器を含み、
前記第１の伝達部は、前記第１の差動増幅器の出力端子と前記第１の電極とを接続するとともに前記第２の電極へ参照電圧を供給する第５の状態と、前記第１の差動増幅器の出力端子と前記第１の電極との接続を維持しながら前記第２の電極に前記参照電圧を供給しない第６の状態とを切り替え、
前記第２の伝達部は、前記第２の差動増幅器の出力端子と前記第３の電極とを接続するとともに前記第４の電極へ参照電圧を供給する第７の状態と、前記第２の差動増幅器の出力端子と前記第３の電極との接続を維持しながら前記第４の電極に前記参照電圧を供給しない第８の状態とを切り替える
ことを特徴とする請求項２に記載の撮像装置。
【請求項５】
前記第１の伝達部は、
前記第１の信号を保持する第１の保持部と、
前記第１の保持部から前記第１のインピーダンス変換部を介して伝達された前記第１の信号を保持する第２の保持部と、
をさらに含み、
前記第２の伝達部は、
前記第２の信号を保持する第３の保持部と、
前記第３の保持部から前記第２のインピーダンス変換部を介して伝達された前記第２の信号を保持する第４の保持部と、
をさらに含み、
前記第１の保持部は、前記第１のインピーダンス変換部から前記第１のオフセットを含む信号が入力される第１の保持電極と、前記画素から前記列信号線を介して前記第１の信号が入力される第２の保持電極とを有し、
前記第３の保持部は、前記第２のインピーダンス変換部から前記第２のオフセットを含む信号が入力される第３の保持電極と、前記画素から前記列信号線を介して前記第２の信号が入力される第４の保持電極とを有し、
前記第１のインピーダンス変換部は、第１の差動増幅器を含み、
前記第２のインピーダンス変換部は、第２の差動増幅器を含み、
前記第１の伝達部は、前記第１の差動増幅器の反転入力端子及び出力端子と前記第１の保持電極とを接続するとともに前記列信号線と前記第２の保持電極とを接続する第１の保持状態と、前記第１の差動増幅器の反転入力端子と前記第１の保持電極とを接続しながら前記第１の差動増幅器の出力端子と前記第１の保持電極との接続を遮断するとともに前記列信号線と前記第２の保持電極との接続を遮断し前記第１の差動増幅器の出力端子と前記第２の保持電極とを接続する第２の保持状態とを切り替え、
前記第２の伝達部は、前記第２の差動増幅器の反転入力端子及び出力端子と前記第３の保持電極とを接続するとともに前記列信号線と前記第４の保持電極とを接続する第３の保持状態と、前記第２の差動増幅器の反転入力端子と前記第３の保持電極とを接続しながら前記第２の差動増幅器の出力端子と前記第３の保持電極との接続を遮断するとともに前記列信号線と前記第４の保持電極との接続を遮断し前記第２の差動増幅器の出力端子と前記第４の保持電極とを接続する第４の保持状態とを切り替える
ことを特徴とする請求項１に記載の撮像装置。
【請求項６】
前記列信号線は、前記第１の保持部のみを介して前記第１の差動増幅器と接続され、
前記列信号線は、前記第３の保持部のみを介して前記第２の差動増幅器と接続される、
ことを特徴とする請求項５に記載の撮像装置。
【請求項７】
前記第１の伝達部は、
前記第１の信号を保持する第１の保持部と、
前記第１の保持部から前記第１のインピーダンス変換部を介して伝達された前記第１の信号を保持する第２の保持部と、
をさらに含み、
前記第２の伝達部は、
前記第２の信号を保持する第３の保持部と、
前記第３の保持部から前記第２のインピーダンス変換部を介して伝達された前記第２の信号を保持する第４の保持部と、
をさらに含み、
前記第１の保持部は、前記第１のインピーダンス変換部から前記第１のオフセットを含む信号が入力される第１の保持電極と、前記画素から前記列信号線を介して前記第１の信号が入力される第２の保持電極とを有し、
前記第３の保持部は、前記第２のインピーダンス変換部から前記第２のオフセットを含む信号が入力される第３の保持電極と、前記画素から前記列信号線を介して前記第２の信号が入力される第４の保持電極とを有し、
前記第１のインピーダンス変換部は、第１の差動増幅器を含み、
前記第２のインピーダンス変換部は、第２の差動増幅器を含み、
前記第１の伝達部は、前記第１の差動増幅器の反転入力端子及び出力端子と前記第１の保持電極とを接続するとともに前記列信号線と前記第２の保持電極とを接続する第１の保持状態と、前記第１の差動増幅器の出力端子と前記第１の差動増幅器の反転入力端子との接続を維持しながら前記第１の差動増幅器の反転入力端子及び出力端子と前記第１の保持電極との接続を遮断して前記第１の保持電極へ参照電圧を供給するとともに前記列信号線と前記第２の保持電極との接続を遮断して前記第１の差動増幅器の非反転入力端子と前記第２の保持電極とを接続する第５の保持状態とを切り替え、
前記第２の伝達部は、前記第２の差動増幅器の反転入力端子及び出力端子と前記第３の保持電極とを接続するとともに前記列信号線と前記第４の保持電極とを接続する第３の保持状態と、前記第２の差動増幅器の出力端子と前記第２の差動増幅器の反転入力端子との接続を維持しながら前記第２の差動増幅器の反転入力端子及び出力端子と前記第３の保持電極との接続を遮断して前記第３の保持電極へ参照電圧を供給するとともに前記列信号線と前記第４の保持電極との接続を遮断して前記第２の差動増幅器の非反転入力端子と前記第４の保持電極とを接続する第６の保持状態とを切り替える
ことを特徴とする請求項１に記載の撮像装置。
【請求項８】
前記伝達ブロックは、
前記列信号線へ出力された前記第１の信号を増幅し、増幅した前記第１の信号を前記第１の伝達部へ供給し、前記列信号線へ出力された前記第２の信号を増幅し、増幅した前記第２の信号を前記第２の伝達部へ供給する増幅器をさらに含む
ことを特徴とする請求項１から７のいずれか１項に記載の撮像装置。
【請求項９】
請求項１から８のいずれか１項に記載の撮像装置と、
前記撮像装置の撮像面へ像を形成する光学系と、
前記撮像装置から出力された信号を処理して画像データを生成する信号処理部と、
を備えたことを特徴とする撮像システム。